(57)【要約】      （修正有）【課題】広い開閉スペースを必要とせず、また、防犯性が高く、大型化も可能な、二軸スライド開閉門扉を提供する。【解決手段】壁３と、壁３の上部に固定されたガイド４と、壁３の下部近郊に設けられた路５と、上部がガイド４内に位置し下部が路５に位置する移動可能な縦板部６と、縦板部６に回動可能に取り付けられた門８と、門８に回動可能に設けられ縦板部６と平行でない方向に移動するボックス１０と、ボックス１０の移動路であるレーン１１ａ、１１ｂと、からなる構成の二軸スライド開閉門扉１ａ。【選択図】図１
2019138061.tif 000002
【特許請求の範囲】
【請求項１】
壁と、
前記壁の上部に固定されたガイドと、
前記壁の下部近郊に設けられた路と、
上部が前記ガイド内に位置し下部が前記路に位置する移動可能な縦板部と、
前記縦板部に回動可能に取り付けられた門と、
門に回動可能に設けられ前記縦板部と平行でない方向移動するボックスと、
前記ボックスの移動路であるレーンと、
からなることを特徴とする二軸スライド開閉門扉。
【請求項２】
前記縦板部が、門外方向に移動して開門することを特徴とする請求項１に記載の二軸スライド開閉門扉。
【請求項３】
前記縦板部が、門内方向に移動して開門することを特徴とする請求項１に記載の二軸スライド開閉門扉。
【請求項４】
前記縦板部及び前記ボックスの下部に車輪を備えることを特徴とする請求項１〜請求項３の何れか１項に記載の二軸スライド開閉門扉。
【請求項５】
前記縦板部又は／及び前記ボックスにモータを備え、前記モータ駆動で前記車輪を回転させ、前記縦板部及び門をスライドすることを特徴とする請求項４に記載の二軸スライド開閉門扉。
【請求項６】
前記モータをオンオフするスイッチ部を、門外からアクセス可能な塀或いは壁に埋設したボックス内に施錠可能に設置したことを特徴とする請求項５に記載の二軸スライド開閉門扉。
【請求項７】
前記モータの駆動をオフする、前記縦板部又は／及び門或いはボックスの始点及び終点を検知するセンサを備えることを特徴とする請求項５又は請求項６に記載の二軸スライド開閉門扉。
【発明の詳細な説明】
【技術分野】
【０００１】
本発明は、広い開閉スペースを必要とせず、また、防犯性が高く、大型化も可能な、二軸スライド開閉門扉に関する。
【背景技術】
【０００２】
二軸スライド開閉門扉として、特許文献１の技術が考案されている。
特許文献１の考案は、（１）出入口に設置されたレール本体と、該レール本体に角度をもって連設された補助レールと、該レール本体及び該補助レール上を摺動自在かつ回動自在に移動可能とされた門扉本体と、該門扉本体に回動自在に連結されかつ該補助レール上を摺動自在に移動可能とされた案内枠とを有することを特徴とするスライド式門扉であって、ワ ンタッチで楽々と門扉の開閉ができる上、門扉本 体をコンパクトに収納でき、門扉を開いたとき門 扉本体を直線方向の側方に収納できないような狭い地形又は特殊を地形の場合にも門扉本体を容易 に収納することができるという実用的効果を奏するというものである。
【０００３】
他方、敷地には、自動車、工事用大型作業車を一般に駐車保管する。しかし、キーを抜いておいても、窃盗される。さらには、門、塀、壁、フェンス等で囲まれ、門扉に施錠し、警備会社と契約している高い警備体勢であっても、従来型の一方向のレール引き門扉では、昨今の窃盗団は、簡単に門扉を破り、警報によって警備会社が到着するまでの短時間の内に、キーがない自動車、作業車であっても窃盗してしまう。
【先行技術文献】
【特許文献】
【０００４】
【特許文献１】実開昭６０−１４１００号公報
【発明の概要】
【発明が解決しようとする課題】
【０００５】
そこで、本発明は、広い開閉スペースを必要とせず、また、防犯性が高く、大型化も可能な、二軸スライド開閉門扉を提供することを目的とするものである。
【課題を解決するための手段】
【０００６】
本発明は、上記課題を解決するために、
（１）
壁と、
前記壁の上部に固定されたガイドと、
前記壁の下部近郊に設けられた路と、
上部が前記ガイド内に位置し下部が前記路に位置する移動可能な縦板部と、
前記縦板部に回動可能に取り付けられた門と、
門に回動可能に設けられ前記縦板部と平行でない方向移動するボックスと、
前記ボックスの移動路であるレーンと、
からなることを特徴とする二軸スライド開閉門扉。
（２）
前記縦板部が、門外方向に移動して開門することを特徴とする（１）に記載の二軸スライド開閉門扉。
（３）
前記縦板部が、門内方向に移動して開門することを特徴とする（１）に記載の二軸スライド開閉門扉。
（４）
前記縦板部及び前記ボックスの下部に車輪を備えることを特徴とする（１）〜（３）の何れか１つに記載の二軸スライド開閉門扉。
（５）
前記縦板部又は／及び前記ボックスにモータを備え、前記モータ駆動で前記車輪を回転させ、前記縦板部及び門をスライドすることを特徴とする（４）に記載の二軸スライド開閉門扉。
（６）
前記モータをオンオフするスイッチ部を、門外からアクセス可能な塀或いは壁に埋設したボックス内に施錠可能に設置したことを特徴とする（５）に記載の二軸スライド開閉門扉。
（７）
前記モータの駆動をオフする、前記縦板部又は／及び門或いはボックスの始点及び終点を検知するセンサを備えることを特徴とする（５）又は（６）に記載の二軸スライド開閉門扉。
とした。
【発明の効果】
【０００７】
本発明は、上記構成であるので、大型の門であっても、省スペースで開閉でき、かつ簡単に開閉できない、防犯性の高い門扉を提供することができる。
【図面の簡単な説明】
【０００８】
【図１】本発明である二軸スライド開閉門扉の第一の実施形態の全閉時の平面部分透視模式図である。
【図２】本発明である二軸スライド開閉門扉の第一の実施形態の開閉途中の平面部分透視模式図である。
【図３】本発明である二軸スライド開閉門扉の第一の実施形態の全開時の平面部分透視模式図である。
【図４】本発明である二軸スライド開閉門扉の第二の実施形態の全閉時の平面部分透視模式図である。
【図５】本発明である二軸スライド開閉門扉の第二の実施形態の開閉途中の平面部分透視模式図である。
【図６】本発明である二軸スライド開閉門扉の第二の実施形態の全開時の平面部分透視模式図である。
【発明を実施するための形態】
【０００９】
以下、添付図面に基づき本発明について詳細に説明する。なお、本発明は下記実施例に限定されるものではない。
【実施例１】
【００１０】
図１−３に示すように、本発明の第一実施形態である二軸スライド開閉門扉１ａは、壁３と、壁３の上部に固定されたガイド４と、壁３の下部近郊に設けられた路５と、上部がガイド４内に位置し下部が路５に位置する移動可能な縦板部６と、縦板部６に回動可能に取り付けられた門８と、門８に回動可能に設けられ縦板部６と平行でない方向移動するボックス１０と、ボックス１０の移動路である第一レーン１１ａ及び第二レーン１１ｂと、制御塔１２、配線１３と、スイッチ部１４、センサ１５ａ、１５ｂからなり、ここでは縦板部６が、門外方向に移動（図２白抜き矢印）し、ボックス１０が縦板部６と直交する方向に移動（図２灰色矢印）し、門８が開門する（図３全開）。
【００１１】
壁３は、ここでは、門８の内外を仕切る塀２ａ、２ｂと直交し、塀２ｂと直交する塀２ｃと平行に位置する。塀２ａ、２ｂ、２ｃ、壁３及び門８とで囲まれたスペース１６は、門８の開閉操作のため、車を一時停止などできる。門内は、塀２ａ、２ｂで囲まれた敷地であれば、本発明により防犯性が高まる。
【００１２】
ガイド４は壁３の上部に固定されるＨ鋼などであり、路５は壁３の下部近郊に設けられた縦板部６の移動レーン（レール、溝など）であり、ガイド４と路５によって、縦板部６を安定して起立、スライド可能にする。
【００１３】
縦板部６は、ここでは、ガイド４に上部（例えば滑車）が嵌り、底面に路５を回転走行する車輪６ｅを備え、内部に車輪６ｅを回転させる第一モータ６ｂを収納した箱体６ａと、箱体６ａのスペース１６側に固定された強度維持のための角パイプなどで組み立てた格子状の頑丈な枠６ｃと、スペース１６側の枠６ｃに固定された金属製の板６ｄ、例えば波鉄板など、とからなる。
【００１４】
門８は、蝶番７などで、縦板部６に回動可能に接続される枠８ａと、枠８ａのスペース１６側に固定された板８ｂとからなる。枠８ａは枠６ｃと、板８ｂは板６ｄと、同様の構成である。
【００１５】
ボックス１０は、門内に位置し、蝶番９で、進行方向後方の角と枠８ａが回動可能に連結している箱体１０ａと、底面に第一、第二レーン１１ａ、１１ｂを回転走行する車輪１０ｃを備え、内部に車輪１０ｃを回転させる第二モータ１０ｂを収納する。
【００１６】
制御塔１２は、門内に設置された建屋１２ａと、建屋１２ａの内部に設置された制御装置１２ｂとからなる。制御装置１２ｂは、各種信号（一点鎖線）を受け手、縦板部６、門８の移動を制御する。
【００１７】
配線１３は、ここでは、制御塔１２に引き込まれた商用電源に接続するとともに、第一モータ６ｂ、第二モータ１０ｂに接続し、給電する。また、配線１３は、縦板部６、門８、ボックス１０の移動範囲に、引き回せるよう、吊され、十分な長さを有する。
【００１８】
スイッチ部１４は、門８の開閉のため、第一、第二モータ６ｂ、１０ｂをオンオフするもので、門外からアクセス可能な塀２ｃなどに埋設したボックス内に施錠可能に設置する。必要により、門内からもスイッチ部１４にアクセスできてもよい。スイッチをオンオフすると、制御装置１２ｂに信号が送られ、制御装置１２ｂが第一、第二モータ６ｂ、１０ｂへ給電するよう、接続する。
【００１９】
センサ１５ａは、門８の閉時の始点位置を検知し、門８が閉め終わったことを制御装置１２ｂに送信し、制御装置１２ｂが第一、第二モータ６ｂ、１０ｂへの通電を遮断する。
センサ１５ｂは、門８の全開時のボックス１０の終点を検知し、門８が開き終わったことを制御装置１２ｂに送信し、制御装置１２ｂが第一、第二モータ６ｂ、１０ｂへの通電を遮断する。
【００２０】
このようにしてなる二軸スライド開閉門扉１ａは、縦板部６がスライドするとともに、縦板部６と直交するする方向にボックス１０がスライドすることで、図２，３のように、門８は、縦板部６に引きずられ、壁３と平行な方向に回動移動する。省スペースで門８の開閉が可能で、門８は重く、人力で動かせず、また、モータも駆動させることができなければ、門内から車等を走行させて、簡単に持ち出すことはできなくなり、門内の防犯性を極めて高める。
【実施例２】
【００２１】
図４−６に示すように、本発明の第二実施形態である二軸スライド開閉門扉１ｂは、壁３と、壁３の上部に固定されたガイド４と、壁３の下部近郊に設けられた路５と、上部がガイド４内に位置し下部が路５に位置する移動可能な縦板部６と、縦板部６に回動可能に取り付けられた門８と、門８に回動可能に設けられ縦板部６と平行でない方向移動するボックス１０と、ボックス１０の移動路である第一レーン１１ａ及び第二レーン１１ｂと、制御塔１２、配線１３と、スイッチ部１４、センサ１５ａ、１５ｂからなり、ここでは縦板部６が、門内方向に移動（図５白抜き矢印）し、ボックス１０が縦板部６と直交する方向に移動（図５灰色矢印）し、門８が開門する（図６全開）。
【００２２】
壁３は、ここでは、門８の内外を仕切る塀２ａ、２ｂと直交する関係に位置する。壁３は、門内外を仕切るものでなく、縦板部６の起立とスライドのためのガイドとなる。門内は、塀２ａ、２ｂで囲まれた敷地であれば、本発明により防犯性が高まる。
【００２３】
ガイド４は壁３の上部に固定されるＨ鋼などであり、路５は壁３の下部近郊に設けられた縦板部６の移動レーン（レール、溝など）であり、ガイド４と路５によって、縦板部６を安定して起立、スライド可能にする。
【００２４】
縦板部６は、ここでは、ガイド４に上部（例えば滑車）が嵌り、底面に路５を回転走行する車輪６ｅを備え、内部に車輪６ｅを回転させる第一モータ６ｂを収納した箱体６ａと、箱体６ａの反壁３側に固定された強度維持のための角パイプなどで組み立てた格子状の頑丈な枠６ｃと、門外側の枠６ｃに固定された金属製の板６ｄ、例えば波鉄板など、とからなる。
【００２５】
門８は、蝶番７などで、縦板部６に回動可能に接続される枠８ａと、枠８ａの門外側に固定された板８ｂとからなる。枠８ａは枠６ｃと、板８ｂは板６ｄと、同様の構成である。
【００２６】
ボックス１０は、門内に位置し、蝶番９で、進行方向先方の角と枠８ａが回動可能に連結している箱体１０ａと、底面に第一、第二レーン１１ａ、１１ｂを回転走行する車輪１０ｃを備え、内部に車輪１０ｃを回転させる第二モータ１０ｂを収納する。
【００２７】
制御塔１２は、門内に設置された建屋１２ａと、建屋１２ａの内部に設置された制御装置１２ｂとからなる。制御装置１２ｂは、各種信号（一点鎖線）を受け手、縦板部６、門８の移動を制御する。
【００２８】
配線１３は、ここでは、制御塔１２に引き込まれた商用電源に接続するとともに、第一モータ６ｂ、第二モータ１０ｂに接続し、給電する。また、配線１３は、縦板部６、門８、ボックス１０の移動範囲に、引き回せるよう、吊され、十分な長さを有する。
【００２９】
スイッチ部１４は、門８の開閉のため、第一、第二モータ６ｂ、１０ｂをオンオフするもので、門外からアクセス可能な塀２ａなどに埋設したボックス内に施錠可能に設置する。必要により、門内からもスイッチ部１４にアクセスできてもよい。スイッチを、オンオフすると、制御装置１２ｂに信号が送られ、制御装置１２ｂが第一、第二モータ６ｂ、１０ｂへ給電するよう、接続する。
【００３０】
センサ１５ａは、ボックス１０の閉時の始点位置を検知し、門８が閉め終わったことを制御装置１２ｂに送信し、制御装置１２ｂが第一、第二モータ６ｂ、１０ｂへの通電を遮断する。
センサ１５ｂは、門８の全開時の縦板部６の終点を検知し、門８が開き終わったことを制御装置１２ｂに送信し、制御装置１２ｂが第一、第二モータ６ｂ、１０ｂへの通電を遮断する。
【００３１】
このようにしてなる二軸スライド開閉門扉１ｂは、縦板部６がスライドするとともに、縦板部６と直交するする方向にボックス１０がスライドすることで、図５，６のように、門８は、縦板部６に引きずられ、壁３と平行な方向に回動移動する。省スペースで門８の開閉が可能で、門８は重く、人力で動かせず、また、モータも駆動させることができなければ、門内から車等を走行させて、簡単に持ち出すことはできなくなり、門内の防犯性を極めて高める。
【符号の説明】
【００３２】
１ａ    二軸スライド開閉門扉
１ｂ    二軸スライド開閉門扉
２ａ    塀
２ｂ    塀
２ｃ    塀
３      壁
４      ガイド
５      路
６      縦板部
６ａ    箱体
６ｂ    第一モータ
６ｃ    枠
６ｄ    板
６ｅ    車輪
７      蝶番
８      門
８ａ    枠
８ｂ    板
９      蝶番
１０    ボックス
１０ａ  箱体
１０ｂ  第二モータ
１０ｃ  車輪
１１ａ  第一レーン
１１ｂ  第二レーン
１２    制御塔
１２ａ  建屋
１２ｂ  制御装置
１３    配線
１４    スイッチ部
１５ａ  センサ
１５ｂ  センサ
１６    スペース
【図１】
2019138061.tif 000003
【図２】
2019138061.tif 000004
【図３】
2019138061.tif 000005
【図４】
2019138061.tif 000006
【図５】
2019138061.tif 000007
【図６】
2019138061.tif 000008
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
壁と、
前記壁の上部に固定されたガイドと、
前記壁の下部近郊に設けられた路と、
上部が前記ガイド内に位置し下部が前記路に位置する移動可能な縦板部と、
前記縦板部に回動可能に取り付けられた門と、
前記門に回動可能に角が連結し前記縦板部と平行でない方向に移動するボックスと、
前記ボックスの移動路である第一レーン及び第二レーンと、
からなることを特徴とする二軸スライド開閉門扉。
【請求項２】
前記縦板部が、門外方向に移動して開門することを特徴とする請求項１に記載の二軸スライド開閉門扉。
【請求項３】
前記縦板部が、門内方向に移動して開門することを特徴とする請求項１に記載の二軸スライド開閉門扉。
【請求項４】
前記縦板部及び前記ボックスの下部に車輪を備えることを特徴とする請求項１〜請求項３の何れか１項に記載の二軸スライド開閉門扉。
【請求項５】
前記縦板部又は／及び前記ボックスにモータを備え、前記モータ駆動で前記車輪を回転させ、前記縦板部及び門をスライドすることを特徴とする請求項４に記載の二軸スライド開閉門扉。
【請求項６】
前記モータをオンオフするスイッチ部を、門外からアクセス可能な塀或いは壁に埋設した施錠可能なボックス内に設置したことを特徴とする請求項５に記載の二軸スライド開閉門扉。
【請求項７】
前記モータの駆動をオフする、前記縦板部又は／及び門或いはボックスの全閉時の位置である始点への到達及び全開時の位置である終点への到達を検知するセンサを備えることを特徴とする請求項５又は請求項６に記載の二軸スライド開閉門扉。
【手続補正２】
【補正対象書類名】明細書
【補正対象項目名】０００６
【補正方法】変更
【補正の内容】
【０００６】
本発明は、上記課題を解決するために、
（１）
壁と、
前記壁の上部に固定されたガイドと、
前記壁の下部近郊に設けられた路と、
上部が前記ガイド内に位置し下部が前記路に位置する移動可能な縦板部と、
前記縦板部に回動可能に取り付けられた門と、
前記門に回動可能に角が連結し前記縦板部と平行でない方向に移動するボックスと、
前記ボックスの移動路である第一レーン及び第二レーンと、
からなることを特徴とする二軸スライド開閉門扉。
（２）
前記縦板部が、門外方向に移動して開門することを特徴とする（１）に記載の二軸スライド開閉門扉。
（３）
前記縦板部が、門内方向に移動して開門することを特徴とする（１）に記載の二軸スライド開閉門扉。
（４）
前記縦板部及び前記ボックスの下部に車輪を備えることを特徴とする（１）〜（３）の何れか１つに記載の二軸スライド開閉門扉。
（５）
前記縦板部又は／及び前記ボックスにモータを備え、前記モータ駆動で前記車輪を回転させ、前記縦板部及び門をスライドすることを特徴とする（４）に記載の二軸スライド開閉門扉。
（６）
前記モータをオンオフするスイッチ部を、門外からアクセス可能な塀或いは壁に埋設した施錠可能なボックス内に設置したことを特徴とする（５）に記載の二軸スライド開閉門扉。
（７）
前記モータの駆動をオフする、前記縦板部又は／及び門或いはボックスの全閉時の位置である始点への到達及び全開時の位置である終点への到達を検知するセンサを備えることを特徴とする（５）又は（６）に記載の二軸スライド開閉門扉。
とした。